(57)【要約】【課題】  検査項目を実施する順番が一目瞭然に作業者に知らせることができる車両の検査管理システムを提供すること。【解決手段】  製造する車毎に各部品の検査規格情報を記憶する検査マスタデータベースを備えたサーバ２と、このサーバ２とはＬＡＮ１を介して無線通信を行う検査用携帯端末５とからなる検査管理システムにおいて、検査用携帯端末５は、ディスプレイ５４に表示された検査項目データのうち次に検査すべき検査項目の輝度を上げて表示し、この輝度が上げられて表示されている検査項目の検査結果が入力されると、当該検査項目の輝度を下げて表示すると共に、次に検査すべき検査項目の輝度を上げて表示するように構成している。【選択図】      図５
2005297891.tif 000002
【特許請求の範囲】
【請求項１】
車両を製造するラインで使用され、車両の検査規格情報を記憶する検査マスタデータベースを備えたサーバと、このサーバとはＬＡＮを介して通信を行い、複数の検査工程で使用される検査用端末とからなる車両の検査管理システムにおいて、
前記検査用端末は、
ディスプレイと、
このディスプレイに前記サーバから送信された検査項目データを表示する表示手段と、
このディスプレイに前記検査項目データを表示する第1の表示手段と、
このディスプレイに表示された検査項目データのうち次に検査すべき検査項目の輝度を上げて表示する第２の表示手段と、
この輝度が上げられて表示されている検査項目の検査結果が入力されると、当該検査項目の輝度を下げて表示すると共に、次に検査すべき検査項目の輝度を上げて表示する第３の表示手段とを具備したことを特徴とする車両の検査管理システム。
【請求項２】
車両を製造するラインで使用され、車両の検査規格情報を記憶する検査マスタデータベースを備えたサーバと、このサーバとはＬＡＮを介して通信を行い、複数の検査工程で使用される検査用端末とからなる車両の検査管理システムにおいて、
前記検査用端末は、
ディスプレイと、
このディスプレイに前記サーバから送信された検査項目データを表示する表示手段と、
このディスプレイに前記検査項目データを表示する第1の表示手段と、
このディスプレイに表示された検査項目データのうち次に検査すべき検査項目の輝度を上げて表示する第２の表示手段と、
この輝度が上げられて表示されている検査項目より後の検査項目に対する検査結果が入力されると、次の検査項目に進まないことを特徴とする車両の検査管理システム。
【発明の詳細な説明】
【技術分野】
【０００１】
本発明は、車両の製造ラインにおける車両の検査管理システムに関する。
【背景技術】
【０００２】
従来、自動車を製造するラインでは、車両に対して複数の検査工程を設定し、それぞれの検査工程において、検査データをホストコンピュータからパソコンにダウンロードし、オペレータはこの検査データに基づいて検査を行い、その結果をパソコンに入力してホストコンピュータに送信するもの、また、検査の最初に各工程で検査に必要に基準データをバーコードで印刷した検査指示票を発行して車両に添付し、第1の工程で該当するバーコードを読み取って基準データを得、この基準データに基づいて検査を行って、その結果をバーコードラベルとして発行し、このバーコードラベルを検査指示票に貼って車両とともに次の工程へ移動させるものが知られている（例えば、特許文献１参照）。
【０００３】
また、図６に示すような紙の検査帳票が存在していた。作業者は、検査業務において、作業者はこの検査帳票内の自分の工程の担当分から順番に検査内容を読み取って検査を行い、その結果を検査帳票に記入していた。
【０００４】
例えば、四角領域ｘ内が自分で担当する工程を示す、この工程ｘ内に検査項目１、検査項目２、…、検査項目ｎまでが印刷されていた。そして、検査項目１〜ｎに対する検査結果を検査項目１〜ｎ近傍に記入していた。
【特許文献１】特開２００２−１２１７７号公報
【発明の開示】
【発明が解決しようとする課題】
【０００５】
検査帳票内には、自分の工程だけでなく、他人が担当する工程の検査項目も記載されているため、自分の担当する工程が一目瞭然には判断しずらかった。また、検査帳票のスペースには限りがあるため、検査項目が読み取りずらいばかりでなく、検査結果を誤って他の検査項目の検査結果として記入してしまうことがあった。
【０００６】
また、検査項目が読み取りずらいことにより、検査項目に対応した検査を行う順番を間違ってしまうことも少なくなかった。
【０００７】
本発明は上記の点に鑑みてなされたもので、その目的は、検査項目を実施する順番が一目瞭然に作業者に知らせることができる車両の検査管理システムを提供することにある。
【課題を解決するための手段】
【０００８】
請求項1記載の発明によれば、車両を製造するラインで使用され、車両の検査規格情報を記憶する検査マスタデータベースを備えたサーバと、このサーバとはＬＡＮを介して通信を行い、複数の検査工程で使用される検査用端末とからなる車両の検査管理システムにおいて、前記検査用端末は、ディスプレイと、このディスプレイに前記サーバから送信された検査項目データを表示する表示手段と、このディスプレイに前記検査項目データを表示する第1の表示手段と、このディスプレイに表示された検査項目データのうち次に検査すべき検査項目の輝度を上げて表示する第２の表示手段と、この輝度が上げられて表示されている検査項目の検査結果が入力されると、当該検査項目の輝度を下げて表示すると共に、次に検査すべき検査項目の輝度を上げて表示する第３の表示手段とを具備したことを特徴とする。
【０００９】
請求項２記載の発明によれば、車両を製造するラインで使用され、車両の検査規格情報を記憶する検査マスタデータベースを備えたサーバと、このサーバとはＬＡＮを介して通信を行い、複数の検査工程で使用される検査用端末とからなる検査管理システムにおいて、
前記検査用端末は、ディスプレイと、このディスプレイに前記サーバから送信された検査項目データを表示する表示手段と、このディスプレイに前記検査項目データを表示する第1の表示手段と、このディスプレイに表示された検査項目データのうち次に検査すべき検査項目の輝度を上げて表示する第２の表示手段と、この輝度が上げられて表示されている検査項目より後の検査項目に対する検査結果が入力されると、次の検査項目に進まないことを特徴とする。
【発明の効果】
【００１０】
本発明によれば、検査項目の順番が一目瞭然に分かることができ、作業性が良い車両の検査管理システムを提供することができる。
【発明を実施するための最良の形態】
【００１１】
以下図面を参照して本発明の一実施の形態について説明する。
【００１２】
図１は車両の検査管理システムの構成を示す図である。図において、１は車両を製造するラインに配置されたＬＡＮである。このＬＡＮ１には、サーバ２、マスタ管理端末３、複数のアクセスポイント４が接続されている。そして、各アクセスポイント４は近傍にモバイル端末である検査用端末としての検査用携帯端末５と無線通信するようになっている。
【００１３】
検査用携帯端末５は、検査するオペレータ６が所持し、製造ラインにおいて所定の工程が終了する毎にその工程で車７に組み込まれた複数の検査対象部位や部品の検査をこの検査用携帯端末５に操作して行うようになっている。
【００１４】
前記サーバ２は、検査マスタデータベース１１や検査結果データベース１２を設けている。また、サーバ２には、各種業務アプレーション１３が記憶されている。
【００１５】
前記検査マスタデータベース１１は、製造する車毎、識別コードや型式などの情報とともに検査対象となる各部位や部品の検査規格仕様情報や検査規格測定値等が設定されいたる。前記検査結果データベース１２には、実際に行われた検査結果が記憶される。
【００１６】
前記サーバ２は、図２に示すように、制御部本体を構成するＣＰＵ(中央処理ユニット)２１、このＣＰＵ２１が各部を制御するプログラムデータを格納したＲＯＭ（リード・オンリ・メモリ）２２、前記ＣＰＵ２１やデータ送信時やデータ受信時、データ処理時等において一時的に使用するメモリを設けたＲＡＭ（ランダム・アクセス・メモリ）２３、前記検査マスタデータベース１１や前記検査結果データベース１２を設けるとともに業務アプリケーションプログラムを格納したハードディスク装置２４、ＬＡＮ１を介して前記マスタ管理端末３とデータのやり取りを行うとともにＬＡＮ１及びアクセスポイント４を介して前記検査用携帯端末５とデータのやり取りを行う通信部２５、キー入力やインジケータの表示等を行うための操作部２６を設け、これらバスライン２７によって互いに電気的に接続している。
【００１７】
前記マスタ管理端末３は製造ラインの管理者が操作する端末で、図３に示すように、制御部本体を構成するＣＰＵ３１、このＣＰＵ３１が各部を制御するプログラムデータを格納したＲＯＭ３２、前記ＣＰＵ３１がデータ送信時やデータ受信時、データ処理時等において一時的に使用するメモリや小容量のデータを格納するメモリ等を設けたＲＡＭ３３、ＬＡＮ１を介して前記サーバ２とデータのやり取りを行う通信部３４、作業の実行の為の各種キーを設けたキーボード３５、データ表示等を行う液晶等のディスプレイ３６、必要なデータを印字出力する為のプリンタ３７、大容量のデータを格納する為のハードディスク装置３８を設け、これらをバスライン３９によって互いに電気的に接続している。
【００１８】
前記検査用携帯端末５は、図４に示すように、制御部本体を構成するＣＰＵ５１、このＣＰＵ５１が各部を制御するプログラムデータを格納したＲＯＭ５２、前記ＣＰＵ５１がデータ送信時やデータ受信時、データ処理時等において一時的に使用するメモリや小容量のデータを格納するメモリ等を設けたＲＡＭ５３、データ表示や各種情報の入力画面表示等を行う液晶ディスプレイ５４、この液晶ディスプレイ５４の上に載置され、この液晶ディスプレイ５４に表示された入力画面における情報入力を行うためのタッチパネル５５、前記アクセスポイント４と無線通信によってデータのやり取りを行う無線通信部５６を設け、これらをバスライン５７によって互いに電気的に接続している。ここで、ＲＡＭ５３にはカウンタｎ５３ａが設定されている。
【００１９】
前記マスタ管理端末３は、製造される自動車個々に対して、各工程においてどの部位や部品に対してどのような検査を行うかの検査情報を入力する。このマスタ管理端末３で入力した情報は前記サーバ２の検査マスタデータベース１１に記憶される。
【００２０】
こうして、サーバ２の検査マスタデータベース１１に製造される各自動車に対する各工程での検査情報が設定されると、各工程において前記検査用携帯端末５がサーバ２と無線通信を行なう。
【００２１】
つまり、サーバ２は前記検査用携帯端末５に対して検査項目データ（検査リスト）を送信する。これにより、検査用携帯端末５には検査項目データが液晶ディスプレイ５４に表示される。検査項目データとして、左上欄に作業班「Ｆ１班」等、車両情報として自動車型式「Ｚ２５ＡＡＸＳＬＨ」等が表示されると共に、検査対象部位、検査対象内容、検査基準測定値、検査結果として「ＮＧ」「ＯＫ」が表示される。
【００２２】
この実施の形態では、検査対象部位、検査内容方法、検査基準測定値を総称して検査項目データという。
【００２３】
検査用携帯端末５は、図５のフローチャートに示す処理を行う。また、カウンタｎ５３ａに“１”がセッとされる（ステップＳ１）。
【００２４】
次に、検査リストが液晶ディスプレイ５４に表示される（第1の表示手段）（ステップＳ２）。
【００２５】
そして、第1番目の検査項目が他の検査項目よりも輝度が上げられて表示される（第2の表示手段）（ステップＳ３）。また、（ｎ−１）番目の検査項目の輝度が他のものよりも下げられて表示される（ステップＳ４）。（ｎ−１）番目とは検査済みの検査項目のことを意味するものである。つまり、検査済みの検査項目の輝度を他の検査項目の輝度より下げることにより、次の検査項目をハッキリと見やすくすることができる。
【００２６】
このように、検査すべき検査項目の輝度が他の検査項目の輝度より大きいので、オベレヘタ６は次に何を検査すべきかを一目瞭然に判断することができる。
【００２７】
そして、オペレータ６は次に検査すべき検査項目を見て、実際に検査を行う。具体的には、検査内容方法に表示されている内容に沿って検査を行う。そして、その検査結果「ＮＧ」「ＯＫ」を入力する。
【００２８】
そして、検査結果が入力されたかが判定される（ステップＳ５）。つまり、「ＮＧ」あるいは「ＯＫ」が入力されたかが判定される。
【００２９】
このステップＳ５の判定で「ＹＥＳ」と判定された場合には、「完了」ボタンが操作されたかが判定される。
【００３０】
このステップＳ６の判定で「ＮＯ」と判定された場合には、カウンタｎが＋１されて（ステップＳ７）、前述したステップＳ３の処理に戻る。
【００３１】
そして、次の検査項目の輝度が他のものよりも上げられて表示される。これにより、オペレータ７は次に何を検査すべきかを明確に知ることができる。つまり、検査項目の輝度が他のものよりも上げられて表示され、検査項目以前の検査項目の輝度の他のものよりも下げられていることが表示される。なお、ステップＳ５，Ｓ３，Ｓ４により第3の表示手段が構成される。
【００３２】
以下、検査項目に対する検査結果を入力すると、自動的に次の検査項目の輝度が他のものよりも上げられるようにされ、検査が終了した検査項目についてその輝度が下げられる。
【００３３】
ところで、ｎ番目の検査項目が他のものよりも輝度が上げられて表示されている状態において、ｎ＋１番目の検査結果を入力した場合には、ステップＳ５において「ＮＯ」と判定されるので、ステップＳ８に進む。
【００３４】
このステップＳ８において、検査項目ｎ＋1以降の検査結果を入力したかが判定される（ステップＳ８）。前述したように、ｎ番目の検査項目が他のものよりも輝度が上げられて表示されている状態において、ｎ＋１番目以降の検査結果を入力した場合には、このステップＳ８の判定で「ＹＥＳ」と判定されて、検査項目ｎ＋１から当該検査結果を入力した検査項目までの輝度が上げて表示される。
【００３５】
このように、オペレータ６が液晶ディスプレイ５４に輝度が上げられて表示された検査項目を検査しないで、次以降の検査項目の検査結果を入力した場合には、その検査項目に進まないようにして、その検査項目が他のものよりも輝度を上げて表示される。
【００３６】
従って、オペレータ６に対して、検査項目の順番を守らなかった場合には、飛ばされた検査項目の輝度を他のものよりも高くすることにより、オベレータ６に対して検査を実行することを催促することができる。
【００３７】
なお、ステップＳ６の判定で「完了」ボタンが操作されたことが検出されると、一連の処理が終了する。液晶ディスプレイ５４の右上部分に「２／４」頁が表示されている。そして、他の頁に表示された検査項目の検査結果を入力した後に、完了ボタン６１を操作することにより、当該工程での検査が全て終了する。
【００３８】
なお、上記した実施の形態では、ステップＳ５９のように、検査項目の順番を飛ばした場合には、エラーメッセージを液晶ディスプレイ５４に表示させるようにしても良い。
【００３９】
さらに、飛ばされた検査項目の輝度を上げるだけでなく、特別に目立つ色で表示するようにしても良い。
【００４０】
また、この実施の形態では、検査用端末として検査用携帯端末を使用し、サーバ２とアクセスポイント４を介して無線通信方式で通信を行うものについて述べたが必ずしもこれに限るものではなく、サーバ２とＬＡＮによって設定された設置式の検査用端末を使用しても良い。
【００４１】
さらに、上記した実施の形態では、検査用携帯端末５の液晶ディスプレイ５４はタッチパネル付きであったがそれに限るものではない。
【図面の簡単な説明】
【００４２】
【図１】本発明の一実施の形態に係わる検査管理システムの構成を示す図。
【図２】同実施の形態におけるサーバのハード構成を示すブロック図。
【図３】同実施の形態におけるマスタ管理端末のハード構成を示すブロック図。
【図４】同実施の形態における検査用携帯端末のハード構成を示す図。
【図５】同実施の形態の動作を説明するためのフローチャート。
【図６】従来の検査帳票を示す図。
【符号の説明】
【００４３】
１…ＬＡＮ、２…サーバ、３…マスタ管理端末、４…アクセスポイント、
５…検査用携帯端末、１１…検査マスタデータベース。
【図１】
2005297891.tif 000003
【図２】
2005297891.tif 000004
【図３】
2005297891.tif 000005
【図４】
2005297891.tif 000006
【図５】
2005297891.tif 000007
【図６】
2005297891.tif 000008